(57)【要約】【課題】本発明は、予約録画したコンテンツの所有者を推定することを目的とした録画コンテンツの所有者推定装置を提供することを目的とする。【解決手段】一回のＥＰＧ開始から終了までに行われる録画・視聴予約を行った際の情報を記録する予約情報記憶手段１０８と、利用者の特徴情報を抽出する特徴抽出手段１０６と、抽出した特徴情報を記録する特徴情報（好み・習慣）情報記憶手段１１０を有し、ＨＤＤ容量不足エラーが生じた際に、現利用者の予約情報をもとに生成した特徴情報と特徴情報（好み・習慣）情報記憶手段１１０に保存されている特徴情報を比較することで利用者を推定し、利用者の録画したであろうコンテンツを選出する。【選択図】図１
2009303115.tif 000002
【特許請求の範囲】
【請求項１】
大容量記憶装置を有する録画コンテンツの所有者推定装置であって、
利用者の装置への操作を受信する操作手段と、
装置に録画・視聴の予約登録を行う録画・視聴予約手段と、
ＥＰＧにおいて予約操作を行った時間を取得する時計と、
前記録画・視聴予約手段により登録された予約番組コンテンツのＥＰＧ情報と操作時間を用いて予約情報を生成する予約情報生成手段と、
前記予約情報生成手段により生成された予約情報を記録する予約情報記憶手段と、
前記録画・視聴予約手段により予約登録時に発生するエラーを検出し、エラーを解消するための制御を行うエラー制御手段と、
前記予約情報記憶手段に保存されている予約情報を用いて、現利用者の特徴抽出までの制御を行う特徴抽出制御手段と、
前記予約情報記憶手段に記録された情報から現利用者の特徴を算出する特徴算出手段と、
前記特徴抽出制御手段により抽出された情報を記録する特徴情報記憶手段と、
現利用者の特徴情報を前記特徴情報記憶手段に保存されているすべての特徴情報と比較し、現利用者の特徴情報に対する類似度を決定する特徴解析手段と、
前記特徴解析手段により決定した類似度に基づき、現利用者に応じた番組コンテンツ削除リストを生成する削除リスト生成手段と、
前記削除リスト生成手段により生成された削除リストを利用者に提示する表示手段と、
を備えることを特徴とする録画コンテンツの所有者推定装置。
【請求項２】
前記予約情報記憶手段は、ＥＰＧの開始から終了までにＥＰＧ上で予約された全番組コンテンツのＥＰＧ情報及び操作時間を保持することを特徴とする請求項１記載の録画コンテンツの所有者推定装置。
【請求項３】
前記特徴抽出制御手段は、少なくともＥＰＧの終了時に実行され、前記予約情報記憶手段に保持された予約情報の制御を行うことを特徴とする請求項１記載の録画コンテンツの所有者推定装置。
【請求項４】
前記特徴算出手段は、１以上の予約情報を用いて利用者の特徴情報を算出することを特徴とする請求項１記載の録画コンテンツの所有者推定装置。
【請求項５】
前記特徴情報記憶手段は、前記予約情報記憶手段に保持されている予約情報のチャンネル情報、ジャンル情報、予約操作時間を利用者の特徴情報として保持し、一回のＥＰＧの開始から終了までに予約された１以上の予約情報をひとかたまりとして保持することを特徴とする請求項１記載の録画コンテンツの所有者推定装置。
【発明の詳細な説明】
【技術分野】
【０００１】
本発明は、ＨＤＤ等の記憶装置に記録されている録画コンテンツ（番組）の所有者（予約操作を行った人）を推定する録画コンテンツの所有者推定装置、録画コンテンツの所有者推定方法、録画コンテンツの所有者推定プログラム、録画コンテンツの所有者推定プログラムを記録した記録媒体、録画コンテンツの所有者推定集積回路に関するものである。
【背景技術】
【０００２】
近年、映像データなどを記録再生するＡＶ機器として、大容量のＨＤＤを備えた記録再生装置の開発がされている。これらの記録再生装置は、多くの録画コンテンツを大容量ＨＤＤに蓄積することが可能になっている。これにより、従来のように磁気テープや光ディスクなどの記録媒体を幾つも用意する必要がなくなるため、録画をする上で利用者にとって大きな利便性がある。利用者は録画予約する番組を厳選する必要はなくなり、番組表を見て自分の趣向にあった番組を次々に録画予約できる。また、家族など特定少数で機器を利用する場合でも十分な容量のＨＤＤを備えている。しかしその反面、ＨＤＤの容量が増加するにつれて、利用者がＨＤＤ内の全記録番組の内容を把握することは困難となっている。さらに、家族など複数人で利用する場合、複数人が録貯めた録画コンテンツに関して個々の所有者を把握することは不可能な場合もある。ＨＤＤ内の録画コンテンツ一覧から自分の録画した番組のコンテンツを把握することは利用者にとって大きな負担となる。
【０００３】
また、コンテンツの削除や移動などの操作を行う際には、ＨＤＤ内のコンテンツをある程度把握する必要がある。特に、録画予約時にＨＤＤの容量不足エラーが生じた場合、コンテンツの削除や移動などは必須操作となる。この場合、一般的には、データの名称、保存年月日、データの種類などを利用者が見て、人手により不要なデータを判別し、それらを削除や移動していた。このように、利用者は煩雑で時間を要する作業をおこなわなければならなかった。あるいは、特許文献１に示すように、コンテンツの属性に基づき削除するコンテンツを自動で選出し、選出したリストを利用者に提示することで利用者の作業を軽減している。
【特許文献１】特開２００５−１８５３９号公報
【発明の開示】
【発明が解決しようとする課題】
【０００４】
しかしながら、前記従来の構成では、誰が予約録画を行ったコンテンツかを判別できないため、家族など複数人で利用する機器から利用者が予約録画したコンテンツを選別する場合、利用者はコンテンツの選別のために煩雑で時間を要する作業を行わなければならないという課題を有していた。
【０００５】
本発明は、前記従来の課題を解決するもので、予約録画したコンテンツの所有者を推定することを目的とした録画コンテンツの所有者推定装置を提供することを目的とする。
【課題を解決するための手段】
【０００６】
上記目的を達成するために、本発明は、大容量記憶装置を有する電子装置であって、利用者の装置への操作を受信する操作手段と、装置に録画・視聴の予約登録を行う録画・視聴予約手段と、ＥＰＧにおいて予約操作を行った時間を取得する時計と、前記録画・視聴予約手段により登録された予約番組コンテンツのＥＰＧ情報と操作時間を用いて予約情報を生成する予約情報生成手段と、前記予約情報生成手段により生成された予約情報を記録する予約情報記憶手段と、前記録画・視聴予約手段により予約登録時に発生するエラーを検出し、エラーを解消するための制御を行うエラー制御手段と、前記予約情報記憶手段に保存されている予約情報を用いて、現利用者の特徴抽出までの制御を行う特徴抽出制御手段と、前記予約情報記憶手段に記録された情報から現利用者の特徴を算出する特徴算出手段と、前記特徴抽出制御手段により抽出された情報を記録する特徴（好み・習慣）情報記憶手段と、現利用者の特徴情報を前記特徴（好み・習慣）情報記憶手段に保存されているすべての特徴情報と比較し、現利用者の特徴情報に対する類似度を決定する特徴解析手段と、前記特徴解析手段により決定した類似度に基づき、現利用者に応じた番組コンテンツ削除リストを生成する削除リスト生成手段と、前記削除リスト生成手段により生成された削除リストを利用者に提示する表示手段を有する。
【発明の効果】
【０００７】
本発明の録画コンテンツの所有者推定装置によれば、一個人が行う複数の予約操作を単位として扱うことが可能となるので、録画コンテンツの所有者を推定することが容易になる。これにより、利用者が優先的に操作してよいコンテンツを利用者に提示することが可能になり、利用者のコンテンツの選別作業をより効率よく、短時間で行えるため作業にかかる手間を軽減することができる。
【発明を実施するための最良の形態】
【０００８】
（実施の形態）
以下、本発明の実施形態における録画コンテンツの所有者推定装置ついて、図面を参照しながら説明する。図１は本発明の実施形態１の構成図である。同図において、操作手段１０１はＥＰＧ上で行なわれる利用者操作を検出する。録画・視聴予約手段１０２は、操作手段１０１で予約操作が検出された場合に予約対象番組を登録する。予約情報生成手段１０３は、今回登録を行った予約対象番組のＥＰＧ情報と時計１０４で提供される現在の曜日・時刻をもとに予約情報を生成する。時計１０４は、予約情報生成手段１０３から実行された時の曜日と時刻を返す。予約情報記憶手段１０８は、予約情報生成手段１０３により生成された予約情報を記録する。
【０００９】
特徴抽出制御手段１０６は、現利用者の予約操作から得られた予約情報をもとにして、現利用者の特徴を抽出する。特徴（好み・習慣）情報記憶手段１１０は、特徴抽出制御手段１０６により抽出された特徴情報を記録する。エラー制御手段１０５は、録画・視聴予約手段１０２で予約登録時にＨＤＤの容量不足エラーが生じた場合に実行される。特徴算出手段１０７は、予約情報記憶手段１０８に記録されている予約情報を用いて利用者の特徴情報を算出する。特徴解析手段１０９は、現利用者の特徴情報と特徴（好み・習慣）情報記憶手段１１０に記録されている利用者の特徴情報を比較し、類似する特徴情報のリストを生成する。削除リスト生成手段１１１は、特徴解析手段１０９により生成された特徴情報のリストの中から現在削除可能なコンテンツを検出し、削除リストを生成する。表示手段１１２は、削除リスト生成手段１１１により生成された削除リストを利用者の閲覧が可能なように整形し表示する。
【００１０】
以上のように構成された録画コンテンツの所有者推定装置について、以下、図２、図３を用いて、本装置が、現利用者の特徴抽出を行う方法と削除リストを利用者に提示する方法を説明する。
【００１１】
図３は、ＥＰＧ上で行う利用者の操作に応じた本装置の処理を示すフロー図である。図３の３０１はＥＰＧ開始を表す。３０２はＥＰＧ上で行われる利用者の操作を待機している状態である。３０３はＥＰＧ上で入力された利用者の操作がＥＰＧ終了操作であるか否かを判別する。３０４はＥＰＧ上で入力された利用者の操作が録画・視聴操作であるか否かを判別する。３０５は予約登録処理を表す。３０６は３０５で行った登録処理時にＨＤＤ容量不足エラーが発生したか否かを判別する。３０７は利用者により予約された番組のＥＰＧ情報から予約情報生成を行い記録する。３０８は現利用者の特徴抽出制御を表す。３０９は３０８で抽出した現利用者の特徴と過去の全利用者の特徴を比較する処理を表す。３１０は３０９で行った比較処理の結果に基づき現利用者に提示する削除リストの生成処理を表す。３１１は３１０で生成された削除リストを利用者に提示する処理を表す。３１２は３０８と同様に現利用者の特徴抽出制御を表す。３１２は３１１で抽出した現利用者の特徴を記録する処理を表す。３１３は、３１２で抽出した現利用者の特徴情報の記録処理を表す。３１４は３０７にて記録した予約情報の消去処理を表す。３１５はＥＰＧが終了したことを表す。
【００１２】
図２の操作手段２０１は、ＥＰＧ上で利用者が行う操作を検出する。操作手段２０１が検出する操作は、図３の３０３及び３０４に示したＥＰＧ終了操作と録画・視聴予約操作である。図２の操作手段２０１が録画・視聴予約操作を検出した場合、図２の録画・予約操作手段２０２に予約対象となる番組を通知する。図２の録画・予約操作手段２０２は、図２の操作手段２０１から通知を受けると、図３の３０５に示すように通知された番組の予約登録を行い、図４ｂに示す登録番組のＥＰＧ情報を図２の予約情報生成手段２０３へ渡す。図４ｂは予約登録された１番組のＥＰＧ情報であり、テレビ局を表す４０３と番組のジャンルを表す４０４を含む。ただし、図２の録画・予約操作手段２０２がＨＤＤ容量不足のために通知された番組の予約登録時に失敗した場合、図３の３０６に示すように現利用者の特徴抽出を行うため、図２のエラー制御手段２０５にエラー通知を行う。通知番組の予約登録時に失敗の場合については後述する。
【００１３】
図２の予約情報生成手段２０３は、図２の録画・予約操作手段２０２により行われた予約登録番組は録画・視聴予約手段２０２から受け取ったＥＰＧ情報（図４ｂ）と時計２０４から受け取った時間情報（図４ａ）を利用して予約情報（図４ｃ）の生成を行う。図４ａの時間情報は、取得を要求した時点の曜日４０１と時刻４０２である。図４ｃは、時間情報（図４ａ）の曜日４０１と時刻４０２より取得した操作曜日４０７と操作時刻４０７、ＥＰＧ情報（図４ｂ）のｓｔａｔｉｏｎ４０３とｇｅｎｒｅ４０４より取得したチャンネル４０９とジャンル４１０、更に予約ＩＤ４０５と予約グループ４０６を含む。図４ｃの予約ＩＤ４０５は図１の予約情報記録手段１０８が保持する各予約が特定できるように予約毎に一意につけられ、図４ｃの予約グループ４０６は一回のＥＰＧ開始から終了までに生成された予約情報を同一のグループとして扱うために同一の予約グループＩＤが設定される。
【００１４】
本実施の形態では、図４ｃの項目４０５から４１０を予約情報として以下で説明を行う。図２の予約情報生成手段２０３により生成された予約情報（図４ｃ）は、図２の予約情報記録手段２０８に記録される。図２の操作手段２０１で図３の３０３に示すようにＥＰＧ終了操作が検出された場合、図２の特徴抽出制御手段２０６により利用者の特徴情報抽出が開始される。特徴抽出制御手段２０６が制御する処理は、図３に示すように、利用者の特徴を抽出３１２、特徴情報記憶３１３、予約情報クリア３１４、ＥＰＧ終了３１５である。
【００１５】
以下、図２を用いて特徴抽出制御手段２０６が制御する各処理について説明する。特徴抽出制御手段２０６は特徴算出手段２０７、特徴（好み・習慣）情報手段２１０、予約情報記憶手段２０８により処理される。特徴算出手段２０７は、予約情報記憶手段２０８に保存されている予約情報を用いて特徴算出を行う。予約情報記憶手段２０８には図４ｃに示す予約情報が０以上保存されており、予約情報が０の場合、予約情報記憶手段２０８は特徴情報の算出を行わないが、予約情報が１以上の場合は図６ｂのような特徴情報の算出を行う。図５ａは、一回のＥＰＧ開始から終了までの予約情報記憶手段２０８に保存される予約情報の一例であり、この予約情報を用いて図６ｂの特徴情報を算出する。
【００１６】
以下、図５ａの予約情報を用いて図６ｂの特徴情報を算出する手順について説明する。
【００１７】
図６ａは各機器が持つ特徴情報の雛形である。雛形の項目は、予約グループ６０１と予約ＩＤ６０２、操作曜日６０４、操作時刻６０５である。操作曜日６０４や操作時刻６０５を利用者の特徴情報とみなすことで、本機器の操作を行う曜日や時間帯に関する利用者毎の習慣を抽出できる。予約グループ６０１は予約グループ５０１と同じ値が入り、予約ＩＤ６０２は予約ＩＤ５０２にあるすべての値が入り、予約数６０３は図２の予約情報記憶手段２０８に保存されている予約情報の数が入る。操作曜日６０４は操作曜日５０３の中で数の多い曜日が入る。但し、操作曜日５０３の中で曜日が同数の場合は、若い方の曜日を操作曜日８０４に入れる。操作時刻６０５は、操作時刻５０４の全時刻の平均値を入れる。但し、平均値に小数点以下の数値がある場合は切り捨てる。
【００１８】
図２の特徴抽出手段２０６により呼び出された特徴算出手段２０７は、利用者の特徴を算出し特徴抽出手段２０６に特徴情報を返す。図２の特徴抽出手段２０６はこの情報を特徴（好み・習慣）情報記憶手段２１０に書き込む。さらに、特徴抽出手段２０６は予約情報記憶手段２０８に記憶されている予約情報をクリアする。これにより、ＥＰＧ終了に伴って予約情報記憶手段２０８内の予約情報はクリアされるため、次回ＥＰＧ開始時点で予約情報記憶手段２０８内の予約情報は０の状態である。図２の録画・視聴予約手段２０２で予約登録が完了しなかった場合、録画・視聴予約手段２０２は予約登録エラーとなる。特に、エラーの内容がＨＤＤ容量不足により録画予約できない場合は、図３に示すように利用者の特徴を算出３０８、既存の特徴情報との比較３０９、削除リスト生成３１０、削除リストの画面表示３１１を行う。
【００１９】
以下、図２を用いて録画・視聴予約手段２０２で予約登録エラーが生じた場合の処理について説明する。図２の録画・視聴予約手段２０２で予約登録エラーが生じた場合、図２の予約情報生成手段２０３を行わずにエラー制御手段２０５にエラー通知を行う。エラー制御手段２０５は録画・視聴予約手段３０２から通知されたエラーがＨＤＤ容量不足により予約登録できない場合、図２の特徴算出手段２０７と特徴解析手段２０９を実行する。特徴算出手段２０７は、現時点で予約情報記憶手段２０８に保存されている予約情報をもとに利用者の特徴を算出し、エラー制御手段２０５に返す。算出方法は、図７ａの予約グループ７０１が０となる以外は特徴抽出手段２０６から呼び出された場合と同じである。
【００２０】
図２のエラー制御手段２０５は特徴算出手段２０７より受け取った利用者の特徴情報を特徴解析手段２０９へ渡す。特徴解析手段２０９は、エラー制御手段２０５から受け取った利用者の特徴情報と特徴（好み・習慣）情報記憶手段２１０に保存されている利用者の特徴情報を比較して類似した特徴情報を検出し、過去に行った予約を類似度合いの高い順に並べた類似順リストを出力する。
【００２１】
以下では、類似度合いの検出方法について説明する。図７ａは特徴算出手段２０７により算出された現利用者の特徴情報である。図７ｂは、特徴（好み・習慣）情報記憶手段２１０に保存されている特徴情報である。類似度合いは図７ａの操作曜日７０４、操作時間７０５と図９ｂの特徴（好み・習慣）情報記憶手段２１０に保存されている各特徴情報の操作曜日７０４、操作時刻７０５を比較することで検出する。操作曜日７０４、操作時刻７０５をもとにして特徴情報の類似度合いを検出することで、本機器の操作を行う曜日や時間帯において、現利用者と近い習慣を持つ特徴情報が検出できる。
【００２２】
図１０、１１を用いて具体的に類似度合い検出方法及び処理フローを示す。図１０は、類似度合いの検索範囲を示す図である。図１１は、検索方法を示すフロー図である。図１０の縦軸は時間を表しており、各曜日の縦軸上には現利用者の特徴情報と特徴（好み・習慣）情報記憶手段２１０に保存されている既存の特徴情報が表示されている。まず、図１１の１１０２に示すように、検索範囲を現利用者の特徴情報の操作曜日と同じ曜日とし、かつ現利用者の特徴情報の操作時刻から前後３０分以内の範囲で既存の特徴情報が存在するか否かを検索する。この検索範囲は、図１０の枠１００１で囲まれた範囲である。
【００２３】
次に、図１１の１１０３に示すように現在の検索時間の範囲のまま全曜日に検索対象を広げて検索を行う。この検索範囲は、図１０の枠１００２で囲まれた範囲である。図１１の１１０４で特徴情報記憶手段２１０内の特徴情報に未検索のものが含まれるならば、図１１の１１０１へ戻り検索する時間範囲を前後６０分に広げて検索を行う。この検索範囲は、図１０の枠１００３で囲まれた範囲である。このようにして検索を繰り返し、早い段階で検索された特徴情報を類似度合いの高い特徴情報とみなす。
【００２４】
検索で見つかった時点で特徴情報の予約ＩＤは類似順リストに追加される。最終的に特徴（好み・習慣）情報記憶手段２１０に保存されているすべての特徴情報が検索された時点で終了となり、終了時点で予約ＩＤが一列に並んだ類似順リスト（図９ａ）が生成される。特徴解析手段２０９により生成される類似順リストは、曜日や時間帯の観点から、現利用者が予約した可能性の高いコンテンツを推定し、可能性の高い順に予約ＩＤを並べたリストである。特徴解析手段２０９により出力された類似順リストをもとにして、削除リスト生成手段２１１が削除リスト（図９ｂ）の生成を行う。図９ｂ削除リストは図９ａ類似順リストから実際に録画したコンテンツがあるものだけを選出したリストである。
【００２５】
削除リスト生成手段２１１で生成された削除リストを表示手段２１２へ出力することにより利用者に削除リストが提示される。なお、図３の３０８と３１２の利用者の特徴するにあたり、また、算出される特徴情報の違いにより、図３の既存の特徴情報との比較３０９における比較方法も異なるため、合わせて説明を行う。
【００２６】
以下、図５ｂの予約情報を用いて図６ｄの特徴情報を算出する手順について説明する。
【００２７】
図６ｃは各機器が持つ特徴情報の雛形である。雛形の項目は、予約グループ６０６と予約ＩＤ６０２、６０７の行が各種チャンネル、６０８の行が各種ジャンルである。各種チャンネル６０７、各種ジャンル６０８は本機器で視聴可能なチャンネル及び設定可能なジャンルであり、機器毎に異なる。チャンネル６０７やジャンル６０８を利用者の特徴情報とみなすことで、録画・視聴番組に関する利用者の好みを抽出できる。予約グループ６０１は予約グループ５０５と同じ値が入り、予約ＩＤ６０２は予約ＩＤ５０６にあるすべての値が入り、予約数６０３は予約情報記憶手段に保存されている予約情報の数が入る。各種チャンネル６０７には、図５ｂのチャンネル５０７にある各チャンネルの予約数が入る。各種ジャンル６０８には、図５ｂのジャンル５０８にある各ジャンルの予約数が入る。
【００２８】
図８ａは特徴算出手段２０９により算出された現利用者の特徴情報である。図８ｂは、特徴（好み・習慣）情報記憶手段２１０に保存されている特徴情報である。類似度合いは図８ａの各種チャンネル８０１、各種ジャンル８０２と図８ｂの特徴（好み・習慣）情報記憶手段２１０に保存されている各予約情報の各種チャンネル、各種ジャンルを比較することで算出される。比較方法は、各項目の差をとり、差の絶対値を合計する。合計値が小さいほど類似度合いが高いとみなす。以下、図１２、１３を用いて具体的に説明する。図１２は、比較処理方法を示すフロー図であり、図１３は、図１２の比較方法を用いた類似度算出の一例を示す図である。
【００２９】
１２０３では、特徴情報記憶手段内に保存されている特徴情報を図６ｃの予約グループ６０１の数値が若い順に１つずつ順番に呼び出す。該当する予約グループがない場合は終了する。該当する予約グループがある場合は、１２０５で呼び出した特徴情報と現利用者の特徴情報の各項目について差をとる。１２０６で各項目の差を合計した値が呼び出した特徴情報の類似度合いとなる。合計した値が少ないほど類似度合いが高いとみなす。特徴情報を合わせて利用することで、利用者の習慣及び利用者の好みの両観点から現利用者の予約したコンテンツを推定できるため、より効果的な推定が行える。合わせて利用する際には、２つの異なる基準から求められた類似度合いが存在するため、どちらの類似度合いに比重を置くかを考慮する必要がある。
【００３０】
図１３は、２つの異なる類似度合いを統合する一方法を示す図である。類似度合いが図１３ａ、図１３ｂの２種類あるとする。図１３ａの予約ＩＤ１３０２と図１３ｂの予約ＩＤ１３０４において、同一の予約ＩＤの類似度合い１３０１と類似度合い１３０２を合計し、合計数の少ない予約ＩＤから順に類似度合いが高いとみなして図１３ｃのように並べ変える方法がある。図１３ｃでは合計が同数の場合には、図１３ａでの類似度合いが高い（類似度合いの数値が小さい）予約ＩＤの方を類似度合いが高いとみなして順番を決定している。また、図１３ａと図１３ｂの類似度合いに重みをつけて比重を変えて合計する方法もある。
【００３１】
上記実施の形態における録画コンテンツの所有者推定装置は、録画コンテンツの所有者推定方法、録画コンテンツの所有者推定プログラム、録画コンテンツの所有者推定プログラムを記録した記録媒体、単一の半導体基板に作り込んだＬＳＩ（Ｌａｒｇｅ  Ｓｃａｌｅ  Ｉｎｔｅｇｒａｔｅｄ  ｃｉｒｃｕｉｔ）等の集積回路として構成されてもよい。
【産業上の利用可能性】
【００３２】
本発明にかかる録画コンテンツの所有者推定装置、録画コンテンツの所有者推定方法、録画コンテンツの所有者推定プログラム、録画コンテンツの所有者推定プログラムを記録した記録媒体、録画コンテンツの所有者推定集積回路は、特定少数で用いる大容量記憶装置を有する機器に対して特に有効である。また、ＥＰＧを用いて録画・視聴予約するシステムを採用している機器に対して有効である。さらに、従来利用者の判別はログインやバイオメトリックスなどの認証手段を用いてきた。しかし、これらの方法は利用者の作業が増える、高価な装置が必要であるなどの問題がある。本発明では、上記の問題が発生しない手段を用いて、録画予約時にＨＤＤ容量不足エラーが生じた場合の、現在機器を利用している利用者を推定する方法、および利用者推定装置を提供できる。これにより、ＨＤＤ内の録画コンテンツから利用者が予約録画したコンテンツを選出することが可能になる。
【図面の簡単な説明】
【００３３】
【図１】本発明の録画コンテンツ所有者推定装置の構成図
【図２】録画コンテンツ所有者推定装置のシーケンス図
【図３】録画コンテンツ所有者推定装置のフロー図
【図４】（ａ）予約番組のＥＰＧ情報を示す図（ｂ）時計１０４より取得する時間情報を示す図（ｃ）図４ａと図４ｂを用いて予約情報生成手段１０３により生成される予約情報を示す図
【図５ａ】予約情報記録手段１０８に保持される予約情報の一例を示す図（時間情報）
【図５ｂ】予約情報記録手段１０８に保持される予約情報の一例を示す図（チャンネル・ジャンル情報）
【図６ａ】時間情報を用いた特徴情報の雛形を示す図
【図６ｂ】時間情報を用いた特徴情報の一例を示す図
【図６ｃ】チャンネル・ジャンル情報を用いた特徴情報の雛形を示す図
【図６ｄ】チャンネル・ジャンル情報を用いた特徴情報の一例を示す図
【図７ａ】時間情報を用いた現利用者の特徴情報の一例を示す図
【図７ｂ】時間情報を用いた特徴情報記憶手段１１０内の特徴情報の一例を示す図
【図８ａ】チャンネル・ジャンル情報を用いた現利用者の特徴情報の一例を示す図
【図８ｂ】チャンネル・ジャンル情報を用いた特徴情報記憶手段１１０内の特徴情報の一例を示す図
【図９】（ａ）特徴解析手段１０９により生成された類似順リストを示す図（ｂ）図９ａの類似順リストから録画済コンテンツが存在するものだけを取り出した削除リストを示す図
【図１０】類似度合いの検索範囲を示す図
【図１１】類似度合い検出方法を示す図
【図１２】類似度合い検出方法を示すフロー図
【図１３ａ】生成された類似順リストの一例を示す図（１）
【図１３ｂ】生成された類似順リストの一例を示す図（２）
【図１３ｃ】図１３ａと図１３ｂの類似順リストを統合した類似順リストを示す図
【符号の説明】
【００３４】
１０１    操作手段
１０２    録画・視聴予約手段
１０３    予約情報生成手段
１０４    時計
１０５    エラー制御手段
１０６    特徴抽出制御手段
１０７    特徴算出手段
１０８    予約情報記憶手段
１０９    特徴解析手段
１１０    特徴（好み・習慣）情報記憶手段
１１１    削除リスト生成手段
１１２    表示手段
【図１】
2009303115.tif 000003
【図２】
2009303115.tif 000004
【図３】
2009303115.tif 000005
【図４】
2009303115.tif 000006
【図５ａ】
2009303115.tif 000007
【図５ｂ】
2009303115.tif 000008
【図６ａ】
2009303115.tif 000009
【図６ｂ】
2009303115.tif 000010
【図６ｃ】
2009303115.tif 000011
【図６ｄ】
2009303115.tif 000012
【図７ａ】
2009303115.tif 000013
【図７ｂ】
2009303115.tif 000014
【図８ａ】
2009303115.tif 000015
【図８ｂ】
2009303115.tif 000016
【図９】
2009303115.tif 000017
【図１０】
2009303115.tif 000018
【図１１】
2009303115.tif 000019
【図１２】
2009303115.tif 000020
【図１３ａ】
2009303115.tif 000021
【図１３ｂ】
2009303115.tif 000022
【図１３ｃ】
2009303115.tif 000023